(57)【要約】【課題】絶縁監視装置の精度試験に要する作業負担を可及的に軽減させると共に、電路を活線状態としたままで絶縁監視装置の精度試験を行えるようにする。【解決手段】零相電流検出センサの検出情報に基づいて前記電路の絶縁監視を行う絶縁監視装置ＩＯと、絶縁監視装置ＩＯの精度試験を行うための試験用電流を流す試験電流発生装置５とが備えられた絶縁監視装置用の管理システムにおいて、絶縁監視装置ＩＯの動作状態を遠隔地から通信回線ＣＬを経て管理する管理用サーバコンピュータＣＳが備えられ、絶縁監視装置ＩＯは、前記電路の絶縁状態の検出情報を管理用サーバコンピュータＣＳに通信回線ＣＬを経て送信するように構成され、試験用電流を流す試験用配線８は、絶縁監視装置ＩＯの精度試験を行うか否かに拘わらず、試験用電流を通電するための取り付け位置に取り付けられた状態に維持されている。【選択図】図１
2007312445.tif 000002
【特許請求の範囲】
【請求項１】
１線が接地された単相交流又は３相交流の電路の零相電流を検出する零相電流検出センサの検出情報に基づいて前記電路の絶縁監視を行う絶縁監視装置と、
前記絶縁監視装置の精度試験を行うための試験用電流を流す試験電流発生装置とが備えられた絶縁監視装置用の管理システムであって、
前記絶縁監視装置の動作状態を遠隔地から通信回線を経て管理する管理用サーバコンピュータが備えられ、
前記絶縁監視装置は、前記電路の絶縁状態の検出情報を前記管理用サーバコンピュータに前記通信回線を経て送信するように構成され、
前記試験電流発生装置にて生成された試験用電流を流す試験用配線は、前記絶縁監視装置の精度試験を行うか否かに拘わらず、前記絶縁監視装置の精度試験のために前記試験用電流を通電するための取り付け位置に取り付けられた状態に維持され、
前記試験電流発生装置は、前記通信回線を経て前記管理用サーバコンピュータから送られてきた試験開始指令により、又は、予め設定されている試験スケジュールに従って、前記試験用電流を流すように構成されている絶縁監視装置用の管理システム。
【請求項２】
前記絶縁監視装置は、前記電路の絶縁状態の検出情報として、前記零相電流検出センサの検出情報に基づく検出電流値が設定電流値より大となったことを示す警報とそのときの検出電流値とを、前記通信回線を経て前記管理用サーバコンピュータに送信するように構成され、
前記管理用サーバコンピュータは、前記試験用電流を流すことによって前記絶縁監視装置に検出させる目標電流値と、前記試験用電流を流したときに前記絶縁監視装置から送られてきた前記電路の絶縁状態の検出情報とに基づいて、前記絶縁監視装置が適正に動作しているか否かを判定するように構成されている請求項１記載の絶縁監視装置用の管理システム。
【請求項３】
前記試験用電流を流すことによって前記絶縁監視装置に検出させる目標電流値と、前記試験用電流を流したときの前記絶縁監視装置による前記電路の絶縁状態の検出情報とに基づいて、前記絶縁監視装置が適正に動作しているか否かを判定する動作状態判定装置が設けられ、
前記動作状態判定装置は、前記絶縁監視装置が適正に動作しているか否かの判定結果を、前記通信回線を経て前記管理用サーバコンピュータへ送信するように構成されている請求項１又は２記載の絶縁監視装置用の管理システム。
【請求項４】
前記絶縁監視装置は、前記零相電流に含まれる抵抗性の電流成分を抽出して前記電路の絶縁監視を行うように構成され、
前記試験電流発生装置は、前記零相電流の検出情報と、前記試験用電流を流すことによって前記絶縁監視装置に検出させる前記抵抗性の電流成分の目標電流値と、前記抵抗性の電流成分の位相を特定するための情報として予め設定されている基準位相情報とに基づいて、前記零相電流に含まれる抵抗性の電流成分に足し合わせたときに前記抵抗性の電流成分の目標電流値が得られる前記試験用電流を生成するように構成されている請求項１〜３のいずれか１項に記載の絶縁監視装置用の管理システム。
【発明の詳細な説明】
【技術分野】
【０００１】
本発明は、１線が接地された単相交流又は３相交流の電路の零相電流を検出する零相電流検出センサの検出情報に基づいて前記電路の絶縁監視を行う絶縁監視装置と、前記絶縁監視装置の精度試験を行うための試験用電流を流す試験電流発生装置とが備えられた絶縁監視装置用の管理システムに関する。
【背景技術】
【０００２】
かかる絶縁監視装置用の管理システムは、例えば下記特許文献１に記載のような絶縁監視装置が、適正に電路の絶縁状態を監視できているかを管理するためのシステムである。
従来、絶縁監視装置が適正に動作しているか否かを管理するための作業として、定期的に（例えば、１年に１回）検査技術員が絶縁監視装置の設置箇所に赴いて絶縁監視装置の精度試験を行っていた。
この絶縁監視装置の精度試験の試験手順を簡単に説明すると、先ず絶縁監視装置の監視対象となっている電路を停電させて、絶縁監視装置の零相電流検出センサを電路における検出対象箇所から取外す。
更に、その取外した零相電流検出センサに、試験電流発生装置にて生成する試験用電流を検出させるように接続し、試験電流発生装置から供給される試験用電流によって絶縁監視装置が規定通りの動作を行うか否かを確認する。
この後、零相電流検出センサを電路における検出対象箇所に取り付け、電路を停電から通常の状態に復帰させて作業が完了する。
【特許文献１】特開２００２−１２５３１３号公報
【発明の開示】
【発明が解決しようとする課題】
【０００３】
従って、上記従来構成では、検査技術員が絶縁監視装置の設置箇所に赴く必要があり、絶縁監視装置の管理のための作業負担を増大させてしまうと共に、監視対象の電路を停電させることでその電路から電力供給をうける業務が停止してしまうことになってしまう。
本発明は、かかる実情に鑑みてなされたものであって、その目的は、絶縁監視装置の精度試験に要する作業負担を可及的に軽減させると共に、電路を活線状態としたままで絶縁監視装置の精度試験を行えるようにする点にある。
【課題を解決するための手段】
【０００４】
本出願の第１の発明は、１線が接地された単相交流又は３相交流の電路の零相電流を検出する零相電流検出センサの検出情報に基づいて前記電路の絶縁監視を行う絶縁監視装置と、前記絶縁監視装置の精度試験を行うための試験用電流を流す試験電流発生装置とが備えられた絶縁監視装置用の管理システムにおいて、前記絶縁監視装置の動作状態を遠隔地から通信回線を経て管理する管理用サーバコンピュータが備えられ、前記絶縁監視装置は、前記電路の絶縁状態の検出情報を前記管理用サーバコンピュータに前記通信回線を経て送信するように構成され、前記試験電流発生装置にて生成された試験用電流を流す試験用配線は、前記絶縁監視装置の精度試験を行うか否かに拘わらず、前記絶縁監視装置の精度試験のために前記試験用電流を通電するための取り付け位置に取り付けられた状態に維持され、前記試験電流発生装置は、前記通信回線を経て前記管理用サーバコンピュータから送られてきた試験開始指令により、又は、予め設定されている試験スケジュールに従って、前記試験用電流を流すように構成されている。
【０００５】
すなわち、試験電流発生装置により生成した試験用電流を流して絶縁監視装置がその試験用電流を適正に検出するかを試験する絶縁監視装置の精度試験を、通信回線を介して、遠隔地から管理用サーバコンピュータにて管理する。
それも、絶縁監視装置の設置箇所に検査技術員を派遣せずに一連の精度試験が行われるように、試験電流発生装置は、絶縁監視装置の精度試験を行うか否かに拘わらず、試験用電流を流せる接続状態に維持される状態で設置されており、絶縁監視装置の精度試験のためにいつでも試験用電流を流せるようになっているので、試験用電流の通電のために人手を必要とせず、又、監視対象の電路を停電させる必要もない。
【０００６】
絶縁監視装置の精度試験は一般に定期的に行われるものであるが、精度試験の開始タイミングについては、管理用サーバコンピュータから前記通信回線を介して試験電流発生装置に指示することも可能であるし、試験電流発生装置側にカレンダー機能等を持たせて、予め設定した試験スケジュールで精度試験を開始するようにもできる。
更に、試験用電流の電流値の設定についても、管理用サーバコンピュータから前記通信回線を介して試験電流発生装置に指示することも可能であるし、試験電流発生装置側に試験用電流の電流値を予め設定しておくようにもできる。
【０００７】
絶縁監視装置は、試験用電流が流されている状態で電路の絶縁状態を検出しており、管理用サーバコンピュータ側では、前記試験用電流が流されるに伴って絶縁監視装置がどのように動作したかに関する情報を前記通信回線を経て取得することで、検査技術員を絶縁監視装置の設置箇所に派遣しなくても、派遣して精度試験を行った場合と同様の情報を取得できる。
【０００８】
又、本出願の第２の発明は、上記第１の発明の構成に加えて、前記絶縁監視装置は、前記電路の絶縁状態の検出情報として、前記零相電流検出センサの検出情報に基づく検出電流値が設定電流値より大となったことを示す警報とそのときの検出電流値とを、前記通信回線を経て前記管理用サーバコンピュータに送信するように構成され、前記管理用サーバコンピュータは、前記試験用電流を流すことによって前記絶縁監視装置に検出させる目標電流値と、前記試験用電流を流したときに前記絶縁監視装置から送られてきた前記電路の絶縁状態の検出情報とに基づいて、前記絶縁監視装置が適正に動作しているか否かを判定するように構成されている。
【０００９】
すなわち、管理用サーバコンピュータは、試験電流発生装置にて生成した試験用電流を流した状態で、目標電流値と絶縁監視装置から送られてくる検出電流値とから、絶縁監視装置が適正に動作しているかどうかを判断する。
試験用電流を流すことによって前記絶縁監視装置に検出させる目標電流値の情報については、管理用サーバコンピュータが目標電流値を指示する場合は、自身がその情報を保持しているものであるし、試験電流発生装置が独自に目標電流値を設定する場合では、試験電流発生装置が設定した目標電流値を前記通信回線を経て取得するようにすれば良い。
【００１０】
又、本出願の第３の発明は、上記第１又は第２の発明の構成に加えて、前記試験用電流を流すことによって前記絶縁監視装置に検出させる目標電流値と、前記試験用電流を流したときの前記絶縁監視装置による前記電路の絶縁状態の検出情報とに基づいて、前記絶縁監視装置が適正に動作しているか否かを判定する動作状態判定装置が設けられ、前記動作状態判定装置は、前記絶縁監視装置が適正に動作しているか否かの判定結果を、前記通信回線を経て前記管理用サーバコンピュータへ送信するように構成されている。
すなわち、絶縁監視装置が適正に動作しているか否かの判定機能を、絶縁監視装置の設置箇所側に持たせる構成とし、管理用サーバコンピュータは前記通信回線を経て判定された結果を取得する形態で、絶縁監視装置を管理する。
【００１１】
又、本出願の第４の発明は、上記第１〜第３のいずれかの発明の構成に加えて、前記絶縁監視装置は、前記零相電流に含まれる抵抗性の電流成分を抽出して前記電路の絶縁監視を行うように構成され、前記試験電流発生装置は、前記零相電流の検出情報と、前記試験用電流を流すことによって前記絶縁監視装置に検出させる前記抵抗性の電流成分の目標電流値と、前記抵抗性の電流成分の位相を特定するための情報として予め設定されている基準位相情報とに基づいて、前記零相電流に含まれる抵抗性の電流成分に足し合わせたときに前記抵抗性の電流成分の目標電流値が得られる前記試験用電流を生成するように構成されている。
【００１２】
すなわち、零相電流Ｉｏは、図７に示すように、ベクトル記号法によって、電圧Ｖと同相の抵抗性の電流成分Ｉｒと、その抵抗性の電流成分と９０°位相が異なる容量性の電流成分Ｉｃとのベクトル和として表されるので、種々の方法により測定した電圧Ｖの位相（すなわち抵抗性の電流成分Ｉｒの位相）を特定するための情報が基準位相情報として与えられていれば、零相電流Ｉｏの振幅及び位相と前記基準位相情報とから抵抗性の電流成分Ｉｒすなわち純粋の地絡電流を求めることができる。
絶縁監視装置が電路の絶縁監視を行う際にも、又、その絶縁監視装置の精度試験を行う際にも、単純な零相電流の電流値ではなく、零相電流に含まれる抵抗性の電流成分に着目して検出することで、絶縁監視装置による電路の絶縁監視を高い検出精度で行うことができ、又、その絶縁監視装置の精度試験も高い精度で行うことができる。
しかも、このような形態で絶縁監視装置の精度試験を行うための試験電流発生装置の配線接続を、精度試験を行うとき以外の通常の監視状態においても維持するようにしても全く支障がなく、検査技術員を派遣することなく絶縁監視装置の精度試験を行うこととの適合性が極めて良好である。
【発明の効果】
【００１３】
上記第１の発明によれば、絶縁監視装置の設置箇所側では、試験用電流の通電のために人手を必要とせず、又、監視対象の電路を停電させる必要もなく、管理用サーバコンピュータ側では、前記検出対象箇所に試験用電流が流されるに伴って絶縁監視装置がどのように動作したかに関する情報を前記通信回線を経て取得することで、検査技術員を絶縁監視装置の設置箇所に派遣しなくても、派遣して精度試験を行った場合と同様の情報を取得できるので、絶縁監視装置の精度試験に要する作業負担を可及的に軽減させると共に、電路を活線状態のままで絶縁監視装置の精度試験を行えるものとなった。
【００１４】
又、上記第２の発明によれば、管理用サーバコンピュータが主体となって、絶縁監視装置の設置箇所側の情報を収集して、絶縁監視装置が適正に動作しているかどうかを判断するので、管理用サーバコンピュータ側において、絶縁監視装置の設置箇所側の状態を的確に管理できる。
又、上記第３の発明によれば、絶縁監視装置が適正に動作しているか否かの判定機能を、絶縁監視装置の設置箇所側に持たせる構成とすることで、管理用サーバコンピュータの処理負荷を軽減できる。
又、上記第４の発明によれば、管理用サーバコンピュータでの絶縁監視装置の検出精度の管理を高精度で行うことができる。
【発明を実施するための最良の形態】
【００１５】
以下、本発明の絶縁監視装置用の管理システムの実施の形態を図面に基づいて説明する。
＜第１実施形態＞
電力需要家の電源受配電設備付近での機器の接続形態を概略的に示す図１のように、配電線から引込み線にて電源受配電設備に引込まれた６．６ｋＶの高圧は、変圧器ＴＲにて２００Ｖの３相３線，単相３線、あるいは、１００Ｖの単相２線等の低電圧に変圧される。
変圧器ＴＲの２次側（低圧側）はＢ種接地線にて接地され、例えば、３相３線については３相の線のうちの１相の線が接地されている。
この接地線ＥＬには、零相電流を検出する零相電流検出センサＺＴである零相変流器１が取り付けられ、更に、その零相変流器１の検出情報に基づいてこの電路の絶縁監視を行う絶縁監視装置ＩＯが備えられている。
この絶縁監視装置ＩＯの動作状態は、遠隔地に位置する監視センターＯＣの管理用サーバコンピュータＣＳによって通信回線ＣＬを経て管理され、絶縁監視装置ＩＯは、監視対象の電路の絶縁状態の検出情報を管理用サーバコンピュータＣＳへ送信するように構成されている。
【００１６】
〔絶縁監視装置ＩＯの構成〕
絶縁監視装置ＩＯには、零相変流器１の検出情報に基づいて地絡電流を検出する地絡電流検出装置２と、地絡電流検出装置２が設定電流値より大となる地絡電流を検出したときに各種の警報機器に警報信号を出力して報知するための警報信号出力装置３と、絶縁監視装置ＩＯが遠隔地に存在する監視センターＯＣの管理用サーバコンピュータＣＳと通信回線ＣＬを通じて通信するための通信回路４と、地絡電流検出装置２の動作試験（精度試験）を行うための試験用電流を生成する試験電流発生装置５と、地絡電流検出装置２の動作試験の実行を制御する試験制御装置６とが備えられている。
試験電流発生装置５にて生成した試験用電流は、零相変流器１に通した（巻回した）テスト巻線７にて、零相変流器１の検出対象箇所に供給される。
試験電流発生装置５の端子からテスト巻線７までの、試験用電流を流す試験用配線８は、上記電路の絶縁監視のために絶縁監視装置ＩＯを現地に設置する際に、図１に概略的に示す、絶縁監視装置ＩＯの精度試験のために試験用電流を通電するための取り付け位置に取り付けられ、その後は、前記絶縁監視装置ＩＯの精度試験を行うか否かに拘わらず、その取り付けられた状態が維持される。
【００１７】
地絡電流検出装置２は、零相変流器１の検出電流から、監視対象の電圧と同位相の電流成分（抵抗性の電流成分）をベクトル演算によって抽出する。
抵抗性の電流成分を抽出するための具体的な手法としては、零相電流の位相と電圧位相との位相差を検出し、その位相差（角度）から零相電流の抵抗性成分をベクトル計算する手法でも良いし、上記特許文献１に記載のように、線間電圧から生成した位相判定信号を利用してベクトル演算を行う手法でも良い。
地絡電流検出装置２の動作は、後述する絶縁監視装置ＩＯの精度試験の説明において、併せて説明している。
【００１８】
試験電流発生装置５には、図２のブロック図に示すように、零相変流器１が検出した零相電流をそのまま電圧信号に変換したものを地絡電流検出装置２から受け取って高周波成分をカットするローパスフィルタ２１と、零相変流器１の検出対象箇所に流れるトータルの電流（接地線ＥＬに流れる電流とテスト巻線７に流れる電流とを足し合わせた電流）の制御目標を設定するための正弦波発生回路２２と、正弦波発生回路２２にて生成する正弦波電圧の振幅を試験制御装置６から送られてくる目標電流値Ｉｔに応じて設定する振幅設定回路２３と、ローパスフィルタ２１の出力と正弦波発生回路２２の出力とを入力とする演算増幅回路２４（いわゆる、オペアンプ）と、正弦波発生回路２２で生成する正弦波電圧の位相を設定する位相指示回路２５と、絶縁監視の対象箇所の電圧位相を検出するゼロクロス位相検出回路２６と、絶縁監視装置ＩＯの動作用電源として使用している交流電源の電圧位相を検出するゼロクロス位相検出回路２７と、ゼロクロス位相検出回路２６，２７の差をとって両者の位相差を求める位相差検出回路２８とが備えられている。
【００１９】
演算増幅回路２４には、テスト巻線７，零相変流器１，地絡電流検出装置２及びローパスフィルタ２１を帰還ループの経路とする帰還回路が形成されている。
従って、演算増幅回路２４は、ローパスフィルタ２１からの入力信号と正弦波発生回路２２からの入力信号とが一致するように試験用電流を制御する。
振幅設定回路２３は、試験制御装置６から目標電流値Ｉｔが指示されたときに、地絡電流検出装置２において零相電流を電圧に変換する変換特性を基礎として、実効値が「Ｉｔ」の正弦波電流を零相変流器１が検出したときに地絡電流検出装置２からローパスフィルタ２１へ送られてくる零相電流検出信号に一致する振幅の正弦波電圧を生成するように正弦波発生回路２２に指示する。
正弦波発生回路２２が生成する正弦波電圧の周波数は、監視対象の電圧の周波数と一致させてある。
正弦波発生回路２２が生成する正弦波電圧の位相は、位相指示回路２５，ゼロクロス位相検出回路２６，２７及び位相差検出回路２８によって設定される。
すなわち、絶縁監視装置ＩＯを設置したときに、監視対象の電路の電圧と絶縁監視装置ＩＯの動作用電源として使用している交流電源の電圧との位相差を基準位相情報として位相指示回路２５に記憶させておき、自己の動作用電源の電圧位相と、記憶している位相差とから、監視対象の電路の電圧位相に一致する位相の正弦波電圧を生成するように正弦波発生回路２２へ位相指示信号を出力する。
位相指示回路２５に記憶されている前記基準位相情報は、監視対象の電路から絶縁監視装置ＩＯの動作用電源に至るまでの電圧器の結線方式に依存し、３０°の整数倍となるが、配線を変更しない限り不変である。
【００２０】
このように試験電流発生装置５を構成することで、零相変流器１の検出対象箇所には元々の零相電流とテスト巻線７に供給される試験用電流とが足し合わさった結果として、正弦波電流が流れることになり、その正弦波電流の位相は監視対象の電路の電圧位相と一致しているので、零相変流器１の検出にかかる正弦波電流は抵抗性の電流成分のみによって構成されることになる。
この試験用電流の生成過程をまとめると、試験電流発生装置５は、前記零相電流の検出情報と、試験用電流を流すことによって絶縁監視装置ＩＯの検出にかかる抵抗性の電流成分の目標電流値Ｉｔと、抵抗性の電流成分の位相を特定するための情報である前記基準位相情報とに基づいて、前記零相電流（接地線ＥＬの零相電流）に含まれる抵抗性の電流成分と足し合わせたときに前記目標電流値Ｉｔが得られる試験用電流を生成していることになる。
以上から、正弦波発生回路２２，振幅設定回路２３及び位相指示回路２５は、前記目標電流値Ｉｔと、前記基準位相情報とに基づいて設定した振幅と位相とを有する正弦波を生成する目標正弦波生成手段として機能し、演算増幅回路２４が、検出対象箇所の零相電流の検出情報と前記目標正弦波生成手段にて生成した正弦波とを入力として、その２入力が一致するように試験用電流を生成する。
【００２１】
〔絶縁監視装置ＩＯの動作試験〕
絶縁監視装置ＩＯの動作試験は、監視センターＯＣの管理用サーバコンピュータＣＳの管理下で実行される。
監視センターＯＣでは、定期的に、管理下にある多数の絶縁監視装置ＩＯの精度試験を行っており、管理用サーバコンピュータＣＳは、定期的に図３に示す動作試験処理を実行する。
図３の処理が開始されると、先ず、管理用サーバコンピュータＣＳから試験制御装置６に対して、絶縁監視装置ＩＯの精度試験を開始する旨の信号（試験開始指令）を送信する（ステップ＃１）。
試験制御装置６は、この信号を通信回路４を介して受信すると、絶縁監視装置ＩＯの警報信号出力装置３に対して、警報信号の出力を停止させる。
もちろん、監視対象の電路は停電されることなく、活線状態が維持される。
【００２２】
次ぎに、管理用サーバコンピュータＣＳは、試験用電流を流すことによって絶縁監視装置ＩＯに検出させる目標電流値Ｉｔの初期値を試験制御装置６へ送信する（ステップ＃２）。本第１実施形態での目標電流値Ｉｔは、上述のように、試験電流発生装置５に生成させた試験用電流を零相変流器１の検出対象箇所に流したときに絶縁監視装置ＩＯの検出にかかる抵抗性の電流成分の目標電流値Ｉｔである。この目標電流値Ｉｔの初期値は、絶縁監視装置ＩＯが地絡事故が発生したと検出する電流値よりも十分に小さい値に設定されている。
試験制御装置６は、管理用サーバコンピュータＣＳから目標電流値Ｉｔの更新データを受け取る度に、その受け取った目標電流値Ｉｔのデータを試験電流発生装置５の振幅設定回路２３へ送って、試験用電流の振幅を設定しており、これに伴って、上述のようにして試験電流発生装置５にて試験用電流が生成され、テスト巻線７に供給される。
絶縁監視装置ＩＯにおける絶縁監視の動作としては、警報信号出力装置３が警報信号の出力を停止している点を除いて、この精度試験においても通常の絶縁監視における動作と全く変わりなく動作しており、地絡電流検出装置２が、監視対象の電路の電圧位相と同相の抵抗性の電流成分と、その抵抗性の電流成分と９０°位相が異なる容量性の電流成分との合成電流である零相変流器１の検出電流から、ベクトル計算により抵抗性の電流成分を抽出し、その抵抗性の電流成分が設定電流値（例えば数十ｍＡ）より小であるときは何もせず、前記設定電流値よりも大となったことを検出すると、その旨を示す警報を警報信号出力装置３へ送ると共に、通信回路４を経て管理用サーバコンピュータＣＳへ送る。更に、管理用サーバコンピュータＣＳに対しては、そのときの検出電流値も併せて送る。
【００２３】
管理用サーバコンピュータＣＳ側では、試験制御装置６に指示する前記目標電流値Ｉｔを、試験用電流の上限値を超えない範囲で徐々に上昇させながら（ステップ＃４，＃５）、地絡電流検出装置２が警報（厳密には、検出した抵抗性の電流成分が設定電流値よりも大となったことを示す信号）を出力するか否かを監視し（ステップ＃３）、警報を出力すると、試験制御装置６へ試験用電流の生成の停止を指示して（ステップ＃６）、その警報と共に送られてきた検出電流値によって、絶縁監視装置ＩＯの検出精度が適正か否かを判定する（ステップ＃７）。
すなわち、絶縁監視装置ＩＯ（より具体的には、地絡電流検出装置２）から警報が送られてきた時点で試験制御装置６へ指示していた目標電流値Ｉｔと、地絡電流検出装置２から警報と共に送られてきた検出電流値とを比較して、両者の差が許容範囲内であれば、絶縁監視装置ＩＯが十分な精度で適正に動作しているものと判定し、許容範囲を超えていれば、絶縁監視装置ＩＯの検出精度が十分ではなく、適正に動作していないと判定する。
その判定結果は、管理用サーバコンピュータＣＳのモニタに表示され（ステップ＃８）、絶縁監視装置ＩＯの検出精度が十分ではないと判定した旨の表示がなされたときは、監視センターＯＣでは、技術者を絶縁監視装置ＩＯの設置箇所へ派遣して、必要な措置をとらせる。
試験制御装置６側では、管理用サーバコンピュータＣＳから試験用電流の生成停止の指示を受け取ると、試験電流発生装置５の作動を停止させると共に、警報信号出力装置３を警報信号の出力を許容する状態に復帰させる。
又、上述のように前記目標電流値Ｉｔを徐々に上昇させて行く過程で、地絡電流検出装置２から警報を受け取らないまま、前記目標電流値Ｉｔが上限値に到達してしまったときは（ステップ＃４）、上記と同様にして試験用電流の供給を停止させ（ステップ＃６）、絶縁監視装置ＩＯの検出精度が適正か否かを判定する（ステップ＃７）のであるが、この場合は当然に、検出精度が異常であると判断する。
【００２４】
尚、以上は、試験電流発生装置５にて生成する試験用電流をテスト巻線７に流した状態で零相変流器１の検出にかかる検出対象箇所に流れる電流（試験用電流と元々の零相電流を足し合わせた電流）が、監視対象の電路の電圧位相と同位相で、抵抗性の電流成分のみの正弦波電流として構成する場合を例示しているが、位相指示回路２５で指示する位相を上記の電圧位相からある程度位相ずれさせても良い。このように位相ずれさせた場合でも、零相変流器１の検出にかかる電流のうちの抵抗性の電流成分が目標電流値Ｉｔとなるようにするために、振幅設定回路２３は発生させる位相ずれに応じて正弦波電圧の振幅を大きめに設定する。
このように位相ずれさせた電流が零相変流器１の検出にかかるように試験用電流を供給しても、地絡電流検出装置２の抵抗性の電流成分を抽出する機能が適正に機能していれば、上記の試験と同じ結果が得られるはずであり、地絡電流検出装置２の機能をより広い範囲でチェックできることになる。
【００２５】
更に、零相変流器１の検出にかかる電流の位相を監視対象の電圧位相と一致させて抵抗性の電流成分のみとしてテスト巻線に供給して行う試験と、零相変流器１の検出にかかる電流の位相を監視対象の電圧位相からずらせてテスト巻線に供給して行う試験との両方の試験を行うことで、より厳密に試験を行うようにしても良い。
又、図３の処理では、検出対象箇所に流れる電流の電流値を徐々に変化させるために、管理用サーバコンピュータＣＳから前記目標電流値Ｉｔを徐々に変化させる指令を送信しているが、この目標電流値Ｉｔの設定変更は試験制御装置６等の絶縁監視装置ＩＯ側の機器に委ねるようにしても良い。
この場合でも、管理用サーバコンピュータＣＳは、試験制御装置６から目標電流値Ｉｔの情報を逐次に受け取ること等によって、目標電流値Ｉｔの情報を取得できる。
【００２６】
＜第２実施形態＞
上記第１実施形態では、零相変流器１の検出対象箇所に元々流れる電流に試験用電流を追加した結果の電流値が前記目標電流値Ｉｔとなるように試験用電流を生成する場合を例示しているが、本第２実施形態では、絶縁監視装置ＩＯの精度試験のために試験用電流をテスト巻線７に流すときに、接地線ＥＬに元々流れる電流が影響しないように構成している。
本第２実施形態における、電力需要家の電源受配電設備付近での機器の接続形態を概略的に示す図４に示すように、絶縁監視用の零相変流器１とは別に、テスト巻線７のみを通した（巻回した）試験用の零相変流器３１を備えると共に、絶縁監視用の零相変流器１又は試験用の零相変流器３１のいずれか一方を選択的に地絡電流検出装置２へ接続するためのスイッチ３２が備えられている。
スイッチ３２は、試験制御装置６の制御により、通常の絶縁監視動作においては、接地線ＥＬを検出対象とする絶縁監視用の零相変流器１からの配線を地絡電流検出装置２へ接続し、絶縁監視装置ＩＯの精度試験を行うときのみ、試験用の零相変流器３１からの配線を地絡電流検出装置２へ接続するように切換え動作する。
このような配線を行う本第２実施形態においても、試験電流発生装置５の端子からテスト巻線７までの、試験用電流を流す試験用配線８は、上記電路の絶縁監視のために絶縁監視装置ＩＯを現地に設置する際に、図４に概略的に示す、絶縁監視装置ＩＯの精度試験のために試験用電流を通電するための取り付け位置に取り付けられ、その後は、前記絶縁監視装置ＩＯの精度試験を行うか否かに拘わらず、その取り付けられた状態が維持される。
【００２７】
このように、接地線ＥＬに流れる電流の影響を受けない試験用の零相変流器３１を備えて絶縁監視装置ＩＯの精度試験を行うようにすることに伴って、試験電流発生装置５の構成も上記第１実施形態とは異なってくる。
すなわち、本第２実施形態における試験電流発生装置５は、図５のブロック図に示すように、試験用電流としてテスト巻線７に供給する正弦波電流を生成する正弦波電流発生回路４１と、試験制御装置６から指示される前記目標電流値Ｉｔに基づいて正弦波電流発生回路４１で生成する正弦波電流の振幅を調整するゲイン調整回路４２と、正弦波電流発生回路４１で生成する正弦波電流の位相を設定する位相指示回路２５とが備えられる他、正弦波電流発生回路４１から出力する正弦波電流をモニタするためのシャント抵抗４３と、絶縁監視の対象箇所の電圧位相を検出するゼロクロス位相検出回路２６と、絶縁監視装置ＩＯの動作用電源として使用している交流電源の電圧位相を検出するゼロクロス位相検出回路２７と、ゼロクロス位相検出回路２６，２７の差をとって両者の位相差を求める位相差検出回路２８とが備えられている。
上記第１実施形態と同一符号で示すゼロクロス位相検出回路２６，２７、位相差検出回路２８及び位相指示回路２５は、構成及び動作が上記第１実施形態と全く同一である。
【００２８】
ゲイン調整回路４２は、正弦波電流発生回路４１から出力される正弦波電流（シャント抵抗４３でモニタする電流）の実効値が前記目標電流値Ｉｔとなるように、その正弦波電流波形の振幅を調整する。
正弦波電流発生回路４１にて生成される正弦波電流の周波数は、監視対象の電圧の周波数と一致させてあり、位相は位相指示回路２７にて指定される。
従って、本第２実施形態においても、その正弦波電流の位相は監視対象の電路の電圧位相と一致しているので、試験用の零相変流器３１の検出にかかる正弦波電流は抵抗性の電流成分のみによって構成されることになる。
もちろん、正弦波電流の位相を意図的にずらせても良い点も上記第１実施形態と同様である。
【００２９】
以上のように構成した絶縁監視装置ＩＯに対して、それの精度試験を行う場合の管理用サーバコンピュータＣＳの動作は、上記第１実施形態と共通であり、図３のフローチャートの動作試験処理を実行することによって、上述のように、絶縁監視装置ＩＯの検出精度の判定を行う。
絶縁監視装置ＩＯの精度試験において上記第１実施形態と異なるのは、試験制御装置６の制御において、図３のステップ＃１における試験を開始する旨の信号を管理用サーバコンピュータＣＳから受け取ったときに、スイッチ３２の接続状態を、絶縁監視用の零相変流器１を地絡電流検出装置２へ接続する状態から、試験用の零相変流器３１を地絡電流検出装置２へ接続する状態に切換える操作が加わる点と、図３のステップ＃６における試験用電流の生成を停止する旨の指示を管理用サーバコンピュータＣＳから受け取ったときに、スイッチ３２の接続状態を、試験用の零相変流器３１を地絡電流検出装置２へ接続する状態から、絶縁監視用の零相変流器１を地絡電流検出装置２へ接続する状態に切換えて、通常の絶縁監視動作に復帰させる操作が加わる点である。
【００３０】
＜第３実施形態＞
上記第１実施形態及び上記第２実施形態では、管理用サーバコンピュータＣＳにて実行される図３のフローチャートによって、絶縁監視装置ＩＯの動作が適正か否かの判定を管理用サーバコンピュータＣＳ側で行う場合を例示しているが、本第３実施形態では、絶縁監視装置ＩＯの動作が適正か否かの判定機能を絶縁監視装置ＩＯ側に備えるものとしている。
具体的には、試験制御装置６が図６に示す処理を実行する。
それ以外の構成要素の動作等は、上記第１実施形態あるいは上記第２実施形態と共通であり、上記第１実施形態における試験制御装置６及び管理用サーバコンピュータＣＳ、並びに、上記第２実施形態における試験制御装置６及び管理用サーバコンピュータＣＳを、以下で説明する試験制御装置６及び管理用サーバコンピュータＣＳで置き換えることができる。
【００３１】
試験制御装置６は、絶縁監視装置ＩＯの精度試験を開始する指令（試験開始指令）を管理用サーバコンピュータＣＳから受け取ると、図６の処理を開始する。
先ず、警報信号出力装置３が警報信号を出力しないように設定する（ステップ＃２１）。この際、上記第２実施形態の図４のように構成する場合には、スイッチ３２の接続状態を、絶縁監視用の零相変流器１を地絡電流検出装置２へ接続する状態から、試験用の零相変流器３１を地絡電流検出装置２へ接続する状態に切換える。
この後、前記目標電流値Ｉｔを初期設定し（ステップ＃２２）、試験電流発生装置５への通電を開始することでテスト巻線７への試験用電流の供給を開始する（ステップ＃２３）。この後、前記目標電流値Ｉｔを徐々に上昇させながら（ステップ＃２６）、地絡電流検出装置２が警報（厳密には、抵抗性の電流成分が設定電流値より大となったことを示す信号）を出力するか否かを監視し（ステップ＃２４）、警報を出力すると、試験電流発生装置５への通電を停止して試験用電流の供給を停止した（ステップ＃２７）後、その時の目標電流値Ｉｔによって絶縁監視装置ＩＯの動作が適正か否かの判定を行う（ステップ＃２８）。
【００３２】
この絶縁監視装置ＩＯの動作が適正か否かの判定においては、地絡電流検出装置２が上記の警報と共に、その時点の検出電流値を試験制御装置６へ出力するように構成しておき、その検出電流値と前記目標電流値Ｉｔとを比較して、両者の差が許容範囲内であれば、絶縁監視装置ＩＯが十分な精度で動作しているものと判定し、許容範囲を超えていれば、絶縁監視装置ＩＯの検出精度が十分ではないと判定する。
もちろん、地絡電流検出装置２は検出電流値を出力せず、上記の警報のみを出力する構成として、前記目標電流値Ｉｔを細かく変化させる過程のどの時点で警報を出力したかのみによって、絶縁監視装置ＩＯの検出精度が十分であるか否かを判定するようにしても良い。
従って、試験制御装置６は、試験用電流を流すことによって絶縁監視装置ＩＯに検出させる目標電流値Ｉｔと、試験用電流を流したときの絶縁監視装置ＩＯによる電路の絶縁状態の検出情報（具体的には、地絡電流検出装置２の検出電流値又は上記警報）とに基づいて、絶縁監視装置ＩＯが適正に動作しているか否かを判定する動作状態判定装置ＪＯとして機能する。
【００３３】
この絶縁監視装置ＩＯが適正に動作しているか否かの判定の結果は、通信回路４から通信回線ＣＬを経て、管理用サーバコンピュータＣＳへ送信され（ステップ＃２９）、その後、警報信号出力装置３が警報信号を出力する設定に戻して（ステップ＃３０）、処理を終了する。
この際、上記第２実施形態の図４のように構成する場合には、スイッチ３２の接続状態を、試験用の零相変流器３１を地絡電流検出装置２へ接続する状態から、絶縁監視用の零相変流器１を地絡電流検出装置２へ接続する状態に切換える。
図６の処理のステップ＃２９で管理用サーバコンピュータＣＳへ送られた上記の判定結果は、管理用サーバコンピュータＣＳのモニタに表示され、絶縁監視装置ＩＯの検出精度が十分ではないと判定した旨の表示がなされたときは、監視センターＯＣでは、技術者を絶縁監視装置ＩＯの設置箇所へ派遣して、必要な措置をとらせる。
【００３４】
＜その他の実施形態＞
以下、本発明のその他の実施形態を列記する。
（１）上記第１実施形態〜第３実施形態では、零相電流に含まれる抵抗性の電流成分を抽出して、絶縁監視装置ＩＯによる絶縁監視及び絶縁監視装置ＩＯの精度試験を行う場合を例示しているが、単に零相電流の絶対値によって絶縁監視装置ＩＯによる絶縁監視及び絶縁監視装置ＩＯの精度試験を行うように構成しても良い。
（２）上記第１実施形態〜第３実施形態では、零相電流検出センサＺＴとして零相変流器１を例示しているが、十分な感度を有するものであれば変流器を用いても良い。
これは、第２実施形態における零相変流器３１についても同様である。
（３）上記第１実施形態〜第３実施形態では、試験電流発生装置５を絶縁監視装置ＩＯに内蔵する場合を例示しているが、試験電流発生装置５は、絶縁監視装置ＩＯとは別個独立の装置として備えるようにしても良い。
（４）上記第１実施形態〜第３実施形態では、監視対象の電路が３相３線の交流である場合を例示したが、中性線を接地線ＥＬにて接地する単相３線の交流や、２線のうちの１線を接地線ＥＬにて接地する単相２線の交流の電路の絶縁監視を行う場合にも本発明を適用できる。
【００３５】
（５）上記第１実施形態〜第３実施形態では、零相電流検出センサＺＴの検出対象箇所を接地線ＥＬとした場合を例示しているが、零相電流を検出できる位置であれば任意の位置を零相電流検出センサＺＴの検出対象箇所としても良い。
（６）上記第１実施形態では、零相電流の検出情報を得るために絶縁監視装置ＩＯの零相変流器１の検出情報を取得しているが、試験電流発生装置５で独自の零相電流検出センサを備えても良い。
（７）上記第１実施形態〜第３実施形態では、前記目標電流値Ｉｔを実効値で指定する場合を例示しているが、必ずしも実効値である必要はない。
（８）上記第１実施形態〜第３実施形態では、監視センターＯＣからの試験開始指令によって絶縁監視装置ＩＯの動作試験を行う場合を例示しているが、試験制御装置６自体に、例えば定期的に試験電流発生装置５にて試験用電流を生成して絶縁監視装置ＩＯの動作試験を行うような試験スケジュールを記憶させておき、その試験スケジュールに従って、試験制御装置６が自発的に絶縁監視装置ＩＯの動作試験を行って、その結果を監視センターＯＣの管理用サーバコンピュータＣＳに報告するように構成しても良い。
【図面の簡単な説明】
【００３６】
【図１】本発明の第１実施形態にかかる全体ブロック構成図
【図２】本発明の第１実施形態にかかる試験電流発生装置のブロック構成図
【図３】本発明の第１実施形態及び第２実施形態にかかるフローチャート
【図４】本発明の第２実施形態にかかる全体ブロック構成図
【図５】本発明の第２実施形態にかかる試験電流発生装置のブロック構成図
【図６】本発明の第３実施形態にかかるフローチャート
【図７】零相電流に含まれる抵抗性の電流成分を説明する図
【符号の説明】
【００３７】
ＣＬ  通信回線
ＣＳ  管理用サーバコンピュータ
ＩＯ  絶縁監視装置
ＪＯ  動作状態判定装置
ＺＴ  零相電流検出センサ
５    試験電流発生装置
８    試験用配線
【図１】
2007312445.tif 000003
【図２】
2007312445.tif 000004
【図３】
2007312445.tif 000005
【図４】
2007312445.tif 000006
【図５】
2007312445.tif 000007
【図６】
2007312445.tif 000008
【図７】
2007312445.tif 000009